(57)【特許請求の範囲】
【請求項１】
リング形状のリコーダー携帯具の外周の所定の箇所に当該リング形状より外側に突出する吊り紐固定部を形成し、且当該突出する吊り紐固定部と相対する箇所に同様の突出する吊り紐固定部を形成して、それぞれの吊り紐固定部に吊り紐の端部を固定したリコーダー携帯具において、
リコーダー携帯具のリング形状の内周に上方に大きく下方に小さな円になるようなテーパー状内周面を形成し、当該内周面の底部に内周に沿って、内周側に突出する段部を形成し、当該リング形状の外周に形成した吊り紐固定部が位置する内周面の一部にそれぞれ爪５を形成したリコーダー携帯具。
【発明の詳細な説明】
【技術分野】
【０００１】
本発明は、リコーダーを首からつるして保持する携帯具に関するものである。
【背景技術】
【０００２】
リコーダーは学童が音楽を学ぶ時の教材として広く使用されている。教室で使用し、音楽会のステージの上で演奏し、運動会等で集団で使用することもある。
リコーダーは管体を主体として一方の端に歌口を形成して、他の端は筒のまま開口している。歌口側が太く、開口側が細くなっている。そして、図６に示すように３つの管体に分かれており、歌口が開設している部分を頭部管Ａ、音孔が開設している部分を中部管Ｂ、小指の音孔が開設している部分を足部管Ｃと呼んでいる。それぞれの管は受入部、差込部によって接続して、リコーダーの管体を形成する。 頭部管の受入部は一般に膨らみＤを形成して接続部分を頑強にして形状にアクセントをつけている。この膨らみＤは、中部管との接続端面に近い部分に装飾用の小さな凸状帯Ｅを形成し、続いて小さな溝Ｆを、そして続いて膨らみＤを持つように構成している。
また図７に示すように受入部に膨らみを形成しない単純な形状の頭部管Ａ'もあり、これに中部管Ｂ'を接続した時の外観は歌口側が太く、管端側が細くなるような単純なテーパーを形成する。学童が使用しているリコーダーにはこのように頭部管に膨らみＤが形成されているものと形成されていないものがあり、好みに合わせて使用している。
この楽器を例えば教室で実際に教材として使用する時には、机の上に置いて先生の指示にしたがって手に持って演奏する。その場合に、机の上に置いたり、手に持ったりを繰り返すことになる。音楽会のステージの上では、或は運動会では指揮者の指揮棒の動きに合わせて（指示にしたがって）、楽器の吹き口をくわえて（手に持って）演奏したり、口から離したりする。
このような時に、図８、図９に示すような簡単な携帯具Ｇにより楽器を首からつるして楽器を携帯できるなら、教室での音楽の勉強に、音楽会のステージに、そして運動会での演奏に大変便利である。
また、このような首から吊るすようにした携帯具であっても、首から吊るしたままリコーダーを吹く時は携帯具から離し、リコーダーを吹かない時は携帯具に装着できたら学童にとって前述のように便利である。
【０００３】
この携帯具Ｇは図９で示したように、吊り紐Ｈで首から吊るし、吊り紐Ｈの一方の端を携帯具Ｇのリングの円周の一部に固定し、当該吊り紐Ｈの他の一方を当該円周に固定した相対する位置に固定したリング状のリコーダー携帯具として知られている（例えば、特許文献１参照）。なお、出願人は本明細書に記載した先行技術文献情報で特定される先行技術文献以外には、本発明に密接に関連する先行技術文献を出願時までに見付け出すことは出来なかった。
【特許文献１】米国特許第６６１６０２４号明細書
【０００４】
前記米国特許第６６１６０２４号明細書に記載され、且つ図面にＦＩＧ４、ＦＩＧ５、ＦＩＧ６に記載されているリコーダーを首から吊るす携帯具は、リング形状の円の中に、接続部分に膨らみがついていない単純なテーパーに形成されている頭部管Ａ'を差し込み、テーパーに形成している頭部管の外周がリングの内周に係合、固定して、当該頭部管に中部管を接続して、リコーダーを首から吊るすようにして携帯する。
【発明の開示】
【発明が解決しようとする課題】
【０００５】
しかし、図６のような接続する際の受入部が膨らんでいる頭部管Ａに、このリング状の携帯具Ｇを係合しようとしても当該膨らみＤのために、単に係合することは出来るものの固定することは出来ないために、リコーダーを首から吊るしたまま演奏したり、携帯したりすると演奏の際には携帯具Ｇが指操作している指の上に落ちてしまい、指操作の邪魔になってしまう。
あるいは携帯具を首から吊るしたままリコーダーを当該携帯具から自由に着脱することは不可能である。
【課題を解決するための手段】
【０００６】
上記の欠点を解決するために、実施例の図面の符号を用いて本発明の概要を説明する。
請求項１に記載した発明は、リング形状のリコーダー携帯具１外周の所定の箇所に突出するように、吊り紐６を固定する為の吊り紐固定部２を形成し、且当該突出する吊り紐固定部２と相対する箇所に同様の突出する吊り紐固定部２を形成して、それぞれの吊り紐固定部２に吊り紐６の端部を固定したリコーダー携帯具１において、リコーダー携帯具１のリング状の内周に上方が大きく下方が小さな円になるようなテーパー状内周面３を形成し、当該内周面３の底部に内周に沿って、内周側に突出する段部４を形成し、当該リング形状の外周に形成した吊り紐固定部２が位置する内周面３の一部にそれぞれ爪５を形成したことを特徴とする、頭部管の膨らみＤを形成した受入部を有するリコーダーを首から吊って係合し、固定できるリコーダー携帯具を提供するものである。
【発明の効果】
【０００７】
以上説明したように、本発明のリコーダー携帯具は既製の受入部Ｄが膨らんでいる頭部管Ａに接続しているリコーダーであっても、請求項１に示した如く、当該携帯具１のテーパー状内周面３の底部に段４を形成し、内周面３に爪５を形成しているので、当該爪５と受入部の膨らみＤの部分に形成している凸状帯Ｅとが簡単に係合固定したままリコーダーの演奏ができる。
【０００８】
従って、本発明のリコーダー携帯具を使用して、リコーダーの演奏をする時は演奏中に指揮者に合わせて、音を出したり、音を止めたりしても首から吊るしたまま簡単に携帯できるので、音楽室で、ステージの上で、運動場でリコーダーの演奏をする時には大変有益である。さらに携帯具を首から吊るしたまま携帯具からリコーダーを脱着できるので、同様に有益である。
【発明を実施するための最良の形態】
【０００９】
本発明の実施例を図面をもとに説明をする。
【実施例１】
【００１０】
図１、図２、図３、図４、図５は本発明の実施例にかかるリコーダーを首から吊るす携帯具である。
図１は斜視図、図２は図１におけるＫ−Ｋの断面図である。図３は図１におけるＬ−Ｌの断面図、図４は既存の受入部に膨らみＤを形成している頭部管Ａを接続したリコーダーに本発明のリコーダー携帯具１を係合、固定したことを説明した当該携帯具１の断面図、図５は本発明のリコーダー携帯具の使用状態を説明した図である。
１は図１、図２、図３で分かるように本発明の携帯具を示したものであり、総じてリング形状になっている。２は当該携帯具１のリング外周の所定のところに吊り紐を固定するための吊り紐固定部、３は携帯具１のリング状の内周に形成する上方が大きく下方が小さな円になるようなテーパー状の内周面、４は携帯具の内周面３の底部に内周に沿って形成した段、５は吊り紐固定部２が位置する内周面３の一部にそれぞれ形成した爪、６は首から吊るす吊り紐である。
【００１１】
本発明の実施例のリコーダー携帯具１は前述した如く、図１の斜視図、図２、図３の断面図にあるように、総じてリング形状になっており、図１、図２に説明するように携帯具１の外周には所定の箇所に吊り紐を固定するための吊り紐固定部２を相対する箇所に一対形成する。この吊り紐固定部２、２はリング形状の本体の高さｈと同等でも良いが、本体の高さｈよりも高くすることによって、吊り紐を固定した時に固定した結び目を当該固定部６の中に納めることができ、見た目にスマートである。
【００１２】
そして図１、図２、図３にあるように本発明の実施例にかかる携帯具１のリング内周面３の底部に内周に沿って段４を形成し、更にそれぞれの当該図より分かるように当該リングの外周に形成した吊り紐固定部２が位置するテーパー状の内周面３の一部にそれぞれ爪５を一対形成する。図４は本発明のリコーダー携帯具１を既製の受入部に膨らみＤを形成している頭部管Ａに係合した時の状態を説明したものである。当該携帯具１のテーパー状の内周面３に沿って、頭部管Ａの凸状帯Ｅが挿入し、当該凸状帯Ｅが段４に突き当たり、その時に、携帯具１の内周面３に突出して形成されている爪５は溝Ｆに係合し固定される。このようにして当該リコーダー携帯具１はリコーダーの頭部管Ａに固定される。またこの頭部管Ａに係合固定する爪５は携帯具１の外周に突出して形成されている吊り紐固定部２が位置するリング内周面３に突出するように形成されているので、当該吊り紐固定部２を手に当てて少々の力を加えるだけで、係合固定されている凸状帯Ｅを簡単に外すことが出来る。
【００１３】
図５は学童が音楽室で、ステージの上で、運動場で本発明のリコーダー携帯具１を使用して、リコーダーを携帯している状態を説明した者である。頭部管Ａに固定されたリコーダー携帯具１は当該頭部管Ａに中部管Ｂ、足部管Ｃを接続してリコーダーの演奏をした時に、指揮者の指示に合わせて、音を出さない時に簡単に携帯することができる。
【産業上の利用可能性】
【００１４】
本発明はリコーダー以外の木管楽器の外形に膨らみを形成すれば、適用することができる。
【図面の簡単な説明】
【００１５】
【図１】本発明の実施例にかかるリコーダー携帯具
【図２】図１におけるＫ−Ｋの断面図
【図３】図１におけるＬ−Ｌの断面図
【図４】既製の膨らんでいる受入部の頭部管に係合固定したことを説明した本発明の断面図
【図５】本発明の実施例にかかる携帯具の使用状態を説明した正面図
【図６】既製の受入部が膨らんでいる頭部管が接続しているリコーダーの正面図
【図７】既製の受入部が膨らんでいない頭部管が接続しているリコーダーの正面図
【図８】従来のリコーダー携帯具の使用状態を説明した正面図
【図９】従来のリコーダー携帯具の斜視図
【符号の説明】
【００１６】
１      本発明の実施例にかかるリコーダー携帯具 
２      吊り紐固定部 
３      本発明の実施例にかかる携帯具の内周面 
４      段 
５      爪 
６      吊り紐 
ｈ      本発明のリコーダー携帯具の本体の高さ
Ａ      頭部管 
Ａ'     頭部管
Ｂ     中部管
Ｂ'    中部管
Ｃ     足部管
Ｄ     膨らみ
Ｅ     凸状帯 
Ｆ     溝 
【図１】
0004177357.tif 000002
【図２】
0004177357.tif 000003
【図３】
0004177357.tif 000004
【図４】
0004177357.tif 000005
【図５】
0004177357.tif 000006
【図６】
0004177357.tif 000007
【図７】
0004177357.tif 000008
【図８】
0004177357.tif 000009
【図９】
0004177357.tif 000010